(57)【要約】【課題】相互変調歪みの発生有無を、低コストで、設置後であっても検出できる無線通信システム及びその相互変調歪み検出方法を提供する。【解決手段】異なる送信周波数及び受信周波数の無線信号を送受信する複数の送受信装置を備えた無線装置と、各送受信装置から出力された無線信号を合成してアンテナへ出力すると共に、アンテナで受信した無線信号を分岐して各送受信装置へ出力する分岐回路とを有し、制御部は、受信特性を劣化させる相互変調歪みの発生要因となる送信周波数がある場合、該送信周波数の送信信号の出力時及び停止時における該送受信装置が受信する受信信号の電力をそれぞれ測定し、上記送信信号の出力時における受信信号の電力が停止時における受信信号の電力よりも大きい場合、相互変調歪みが発生していると判定する。【選択図】図１
2017017575.tif 000002
【特許請求の範囲】
【請求項１】
異なる送信周波数及び受信周波数の無線信号を送受信する複数の送受信装置、並びに複数の前記送受信装置を制御する制御部を備えた無線装置と、
前記無線装置が備える複数の送受信装置から出力された無線信号である送信信号を合成してアンテナへ出力すると共に、前記アンテナで受信した無線信号である受信信号を分岐して前記複数の送受信装置へ供給する分岐回路と、
を有し、
前記制御部は、
前記送受信装置の受信特性を劣化させる相互変調歪みの発生要因となる送信周波数がある場合、該送信周波数の送信信号の出力時及び停止時における該送受信装置に供給される受信信号の電力をそれぞれ測定し、前記送信信号の出力時における受信信号の電力が、前記送信信号の停止時における受信信号の電力よりも大きい場合、前記相互変調歪みが発生していると判定する無線通信システム。
【請求項２】
前記制御部は、
前記受信信号の電力の測定時、前記受信信号を増幅する受信アンプの増幅率を固定する請求項１記載の無線通信システム。
【請求項３】
前記制御部は、
前記受信信号の電力の測定時、前記相互変調歪みの発生要因となる送信周波数の無変調波信号を出力または停止させる請求項１または２記載の無線通信システム。
【請求項４】
前記複数の送受信装置は、
前記受信信号の電力を測定する検出部をそれぞれ備える請求項１から３のいずれか１項記載の無線通信システム。
【請求項５】
前記無線装置は、
前記複数の送受信装置が受信する前記受信信号の電力をそれぞれ測定する検出部を備える請求項１から３のいずれか１項記載の無線通信システム。
【請求項６】
異なる送信周波数及び受信周波数の無線信号を送受信する複数の送受信装置を備えた無線装置と、
前記無線装置が備える複数の送受信装置から出力された無線信号である送信信号を合成してアンテナへ出力すると共に、前記アンテナで受信した無線信号である受信信号を分岐して前記複数の送受信装置へ供給する分岐回路と、
を有する無線通信システムの相互変調歪み検出方法であって、
制御部が、
前記送受信装置の受信特性を劣化させる相互変調歪みの発生要因となる送信周波数がある場合、該送信周波数の送信信号の出力時及び停止時における該送受信装置に供給される受信信号の電力をそれぞれ測定し、
前記送信信号の出力時における受信信号の電力が、前記送信信号の停止時における受信信号の電力よりも大きい場合、前記相互変調歪みが発生していると判定する相互変調歪み検出方法。
【請求項７】
前記制御部が、
前記受信信号の電力の測定時、前記受信信号を増幅する受信アンプの増幅率を固定する請求項６記載の相互変調歪み検出方法。
【請求項８】
前記制御部が、
前記受信信号の電力の測定時、前記相互変調歪みの発生要因となる送信周波数の無変調波信号を出力または停止させる請求項６または７記載の相互変調歪み検出方法。
【請求項９】
前記複数の送受信装置が、
自装置に入力された前記受信信号の電力を測定する請求項６から８のいずれか１項記載の相互変調歪み検出方法。
【請求項１０】
前記無線装置が、
前記複数の送受信装置が受信した前記受信信号の電力をそれぞれ測定する請求項６から８のいずれか１項記載の相互変調歪み検出方法。
【発明の詳細な説明】
【技術分野】
【０００１】
本発明は複数の送受信装置を備えた無線通信システム及びその相互変調歪み検出方法に関する。
【背景技術】
【０００２】
複数の送受信装置を備えた無線装置を設置する場合、送受信装置毎に個別にアンテナを設ける構成では、複数のアンテナを設置及び固定するための鉄塔等の設備が大きくなる。その場合、土地の取得または借用費用、鉄塔の建設費、アンテナの総購入費等が高額になってしまう。そこで、分岐回路（Branching Circuit：以下、ブランチと称す）を用いて１つのアンテナを複数の送受信装置で共有できるようにした構成が知られている。ブランチを用いれば、アンテナの台数が低減できるため、アンテナの設置コストを抑制できる。
【０００３】
しかしながら、１つのアンテナを複数の送受信装置で共有する構成では、各送受信装置で異なる送受信周波数を用いる場合に相互変調（ＩＭ：Inter Modulation）歪みが発生しやすいという課題がある。
ＩＭ歪みは、異なる周波数の無線信号が１つの線路を通過する時、該線路が非線形性を有していると発生する。例えば、ブランチとアンテナとを接続する同軸ケーブルのコネクタや導波管の接合部等の不連続部、あるいは同軸ケーブルや導波管の損傷部は非線形性を有する部位となる。また、サーキュレータ内のフェライト物性に非線形性を有する場合、該サーキュレータでＩＭ歪みが発生する。このような同軸ケーブル、導波管、サーキュレータ等の受動部品で発生するＩＭ歪みはＰＩＭ（Passive Intermodulation）歪みとも呼ばれる。
【０００４】
ＩＭ歪みがブランチ内部の送信側で発生した場合、該ＩＭ歪みに起因して発生する周波数成分はアンテナから放射される。一般に、ブランチは、ＩＭ歪みが小さくなるように設計及び製造されているため、ブランチ自体で発生するＩＭ歪みが送信特性に大きく影響することはない。送信側では、無線信号を増幅する送信アンプで発生するＩＭ歪みの方がブランチで発生するＩＭ歪みよりも影響が大きいことが知られている。
【０００５】
しかしながら、ＩＭ歪みに起因して発生する周波数成分がブランチとアンテナとを接続する線路の不連続部で反射して受信側へ入力された場合、あるいはブランチ等が備えるサーキュレータでＩＭ歪みが発生し、該ＩＭ歪みに起因して発生する周波数成分が受信側に漏れた場合、受信特性に影響する可能性がある。
【０００６】
図７は、ＩＭ歪みに起因して発生する周波数成分の一例を示す模式図である。ＩＭ歪みは、上述したように周波数が異なる２波以上の無線信号が存在する場合に発生する。図７は、送信周波数が２波である場合に発生するＩＭ歪みに起因して発生する周波数成分の一例を示している。
図７に示すように、送信周波数をｆｔ１及びｆｔ２とした場合、ＩＭ歪みによって２ｆｔ２−ｆｔ１及び２ｆｔ１−ｆｔ２の周波数成分が発生する（図７では２ｆｔ２−ｆｔ１のみ表示）。これら２ｆｔ２−ｆｔ１及び２ｆｔ１−ｆｔ２の周波数成分はＩＭ３（２信号３次相互変調）と呼ばれる。ＩＭ歪みには、ＩＭ５、ＩＭ７、ＩＭ９、…と呼ばれる歪み成分もあるが、上記ＩＭ３の周波数成分が最も大きくなる。このＩＭ歪みに起因して発生するＩＭ３の周波数成分が受信周波数ｆｒ１と近い場合、該受信周波数ｆｒ１を用いる送受信装置ではＩＭ３の周波数成分が干渉波や妨害波となって受信特性が劣化する。
【０００７】
ＩＭ歪みに起因して発生する周波数成分の大きさは、同軸ケーブルや導波管の設置状態によって変化するため、複数の送受信装置を備えた無線装置やアンテナの設置後にＩＭ歪みの発生有無を確認できることが望ましい。
【０００８】
なお、ラジオ受信機やテレビジョン受像機で用いることを前提としたものであるが、ＩＭ歪みを検出するための検出装置は、例えば特許文献１で提案されている。
特許文献１には、通過させる周波数帯域の中心周波数を変更可能なチューナブル帯域フィルタを備え、アンテナで受信した無線信号をチューナブル帯域フィルタでフィルタリングし、周波数変換した後、復調回路を用いて放送信号を取り出す構成が記載されている。特許文献１では、チューナブル帯域フィルタの中心周波数を受信周波数に設定したときに復調回路から出力される信号レベルＳ１と、チューナブル帯域フィルタの中心周波数を受信周波数に対して所定量だけシフトさせたときに復調回路から出力される信号レベルＳ２とを比較し、Ｓ２＞Ｓ１であるときにＩＭ歪みが発生していると判定している。
【先行技術文献】
【特許文献】
【０００９】
【特許文献１】特開２０１２−２０９６２７号公報
【発明の概要】
【発明が解決しようとする課題】
【００１０】
上述したように、１つのアンテナを複数の送受信装置で共有する構成では、ブランチとアンテナとを接続する線路に非線形性を有するとＩＭ歪みが発生し、該ＩＭ歪みに起因して発生する周波数成分が送受信装置で用いる受信周波数に近いと干渉波や妨害波となって受信特性を劣化させる。
【００１１】
上述した特許文献１に記載されたＩＭ歪みの検出装置は、チューナブル帯域フィルタと呼ばれる特殊な部品を用いてＩＭ歪みを検出するため、複数の送受信装置、ブランチ及びアンテナを含む無線通信システム全体のコストが上昇する課題がある。
一方、コストの上昇を抑えるためにＩＭ歪みの検出装置を設けない構成では、無線通信システムの運用を開始してから受信特性の劣化に気付くことになり、また劣化原因を特定するために運用を停止しなければならない場合もある。
したがって、ＩＭ歪みを検出するための検出回路を、汎用の部品を用いて低コストで実現することが望ましい。
【００１２】
本発明は上述したような背景技術が有する課題を解決するためになされたものであり、相互変調歪みの発生有無を、低コストで、設置後であっても検出できる無線通信システム及びその相互変調歪み検出方法を提供することを目的とする。
【課題を解決するための手段】
【００１３】
上記目的を達成するため本発明の無線通信システムは、異なる送信周波数及び受信周波数の無線信号を送受信する複数の送受信装置、並びに複数の前記送受信装置を制御する制御部を備えた無線装置と、
前記無線装置が備える複数の送受信装置から出力された無線信号である送信信号を合成してアンテナへ出力すると共に、前記アンテナで受信した無線信号である受信信号を分岐して前記複数の送受信装置へ供給する分岐回路と、
を有し、
前記制御部は、
前記送受信装置の受信特性を劣化させる相互変調歪みの発生要因となる送信周波数がある場合、該送信周波数の送信信号の出力時及び停止時における該送受信装置に供給される受信信号の電力をそれぞれ測定し、前記送信信号の出力時における受信信号の電力が、前記送信信号の停止時における受信信号の電力よりも大きい場合、前記相互変調歪みが発生していると判定する構成である。
【００１４】
一方、本発明の相互変調歪み検出方法は、異なる送信周波数及び受信周波数の無線信号を送受信する複数の送受信装置を備えた無線装置と、
前記無線装置が備える複数の送受信装置から出力された無線信号である送信信号を合成してアンテナへ出力すると共に、前記アンテナで受信した無線信号である受信信号を分岐して前記複数の送受信装置へ供給する分岐回路と、
を有する無線通信システムの相互変調歪み検出方法であって、
制御部が、
前記送受信装置の受信特性を劣化させる相互変調歪みの発生要因となる送信周波数がある場合、該送信周波数の送信信号の出力時及び停止時における該送受信装置に供給される受信信号の電力をそれぞれ測定し、
前記送信信号の出力時における受信信号の電力が、前記送信信号の停止時における受信信号の電力よりも大きい場合、前記相互変調歪みが発生していると判定する方法である。
【発明の効果】
【００１５】
本発明によれば、相互変調歪みの発生有無を、低コストで、設置後であっても検出できる。
【図面の簡単な説明】
【００１６】
【図１】第１の実施の形態の無線通信システムの一構成例を示すブロック図である。
【図２】図１に示したブランチの一構成例を示すブロック図である。
【図３】図１に示した送受信装置の一構成例を示すブロック図である。
【図４】ＩＭ歪みの検出手順の一例を示すフローチャートである。
【図５】第２の実施の形態の無線通信システムの一構成例を示すブロック図である。
【図６】図５に示した無線装置の一構成例を示すブロック図である。
【図７】ＩＭ歪みに起因して発生する周波数成分の一例を示す模式図である。
【発明を実施するための形態】
【００１７】
次に本発明について図面を用いて説明する。
（第１の実施の形態）
図１は、第１の実施の形態の無線通信システムの一構成例を示すブロック図である。
図１に示すように、第１の実施の形態の無線通信システムは、無線装置１、端末装置２、ブランチ３及びアンテナ４を有する。
【００１８】
無線装置１は、異なる送信周波数及び受信周波数の無線信号を送受信する複数の送受信装置１０1〜１０n（ｎは正の整数）と、送受信装置１０1〜１０nをそれぞれ制御する制御部１１とを有する。以下では、複数の送受信装置１０1〜１０nを代表して示す場合は、送受信装置１０と表記する。
無線装置１は、入力された複数のデータをそれぞれ異なる送受信装置を１０用いて無線信号（送信信号）に変換して出力する。また、無線装置１は、アンテナ４で受信した無線信号（受信信号）から送受信装置１０1〜１０nを用いてデータを再生して出力する。さらに、無線装置１は、端末装置２の指示にしたがって送受信装置１０1〜１０nに入力された受信信号からＩＭ歪みの有無を検出し、その検出結果を端末装置２へ通知する。
【００１９】
制御部１１は、端末装置２の指示にしたがってＩＭ歪みの検出処理を開始し、ＩＭ歪みを検出した場合はその検出結果を端末装置２へ通知する。また、制御部１１は、端末装置２の指示にしたがって送受信装置１０1〜１０nで用いる送信周波数や受信周波数をそれぞれ設定する。さらに、制御部１１は、送受信装置１０の受信特性を劣化させるＩＭ歪みの発生要因となる送信周波数がある場合、該送信周波数の送信信号の出力時及び停止時における該送受信装置１０に供給される受信信号の電力をそれぞれ測定し、該送信信号の出力時における受信信号の電力が該送信信号の停止時における受信信号の電力よりも大きい場合、相互変調歪みが発生していると判定する。制御部１１は、例えばプログラムにしたがって所要の処理を実行するＣＰＵ（Central Processing Unit）、記憶装置、各種の論理回路等を含む情報処理用のＬＳＩ（Large Scale Integrated Circuit）、例えばマイクロコンピュータ等で実現できる。
【００２０】
端末装置２は、無線通信システムの使用者の指示入力にしたがって、無線装置１に対して、複数の送受信装置１０1〜１０nで用いる送信周波数や受信周波数を指示する。また、端末装置２は、使用者の指示入力にしたがって、無線装置１にＩＭ歪みの検出処理の開始を指示すると共に、無線装置１による検出結果を使用者へ提示する。端末装置２は、例えばプログラムにしたがって所要の処理を実行するＣＰＵ、記憶装置、各種の論理回路、入出力装置（表示装置、キーボード、マウス）等を備えた情報処理装置（コンピュータ）で実現できる。
なお、図１は、無線通信システムの使用者が、端末装置２を用いて無線装置１に送受信周波数やＩＭ歪みの検出処理の開始を指示する構成例を示しているが、無線装置１が備える制御部１１に使用者１１が指示を直接入力できれば、端末装置２は無くてもよい。その場合、無線装置１にはＩＭ歪みの検出結果を使用者に通知するための表示装置等を備えていることが望ましい。
【００２１】
アンテナ４は、ブランチ３から出力された無線信号を電波として放射すると共に、電波として受信した無線信号をブランチ３へ出力する。
ブランチ３は、無線装置１が備える各送受信装置１０1〜１０nから出力された無線信号（送信信号）を合成してアンテナ４へ出力する。また、ブランチ３は、アンテナ４で受信した無線信号（受信信号）を分岐して各送受信装置１０1〜１０nへ供給する。
【００２２】
図２は、図１に示したブランチの一構成例を示すブロック図である。図２は、無線装置１が備える送受信装置１０が４台である場合に利用できるブランチ３の一構成例を示している。
【００２３】
図２に示すように、ブランチ３は、複数のサーキュレータ３１及び複数のバンドパスフィルタ３２を備えた構成である。送受信装置１０1〜１０nから出力された送信信号は、送信側のバンドパスフィルタ３２及びサーキュレータ３１を介してアンテナ４へ出力される。送信側のサーキュレータ３１（図２では、左側４台のサーキュレータ３１）は、送受信装置１０1〜１０nから出力された送信信号を右隣りのサーキュレータ３１へ順次出力することで、送受信装置１０1〜１０nから出力された各送信信号を、アンテナ４と接続されるサーキュレータ３１へ送出する。このとき、送信側のバンドパスフィルタ３２（図２では、左側４台のバンドパスフィルタ）は、サーキュレータ３１から次段（右隣り）以降の送受信装置１０へ出力される送信信号を反射することで、該送信信号が次段（右隣り）以降の送受信装置１０へ入力されるのを防止すると共に、該送信信号をアンテナ４と接続されるサーキュレータ３１へ導く。
【００２４】
一方、アンテナ４で受信された受信信号は、受信側のサーキュレータ３１及びバンドパスフィルタ３２を介して送受信装置１０1〜１０nへ出力される。受信側のサーキュレータ３１（図２では、右側４台のサーキュレータ）は、アンテナ４で受信された受信信号を分岐して対応する送受信装置１０及び右隣りのサーキュレータ３１へそれぞれ出力する。受信側のバンドパスフィルタ３２（図２では、右側４台のバンドパスフィルタ）は、サーキュレータ３１から出力された受信信号から不要な周波数成分を除去し、送受信装置１０1〜１０nへ出力する。
【００２５】
図３は、図１に示した送受信装置の一構成例を示すブロック図である。
図３に示すように、第１の実施の形態の送受信装置１０は、変調器１２、復調器１３、送信アンプ１４、受信アンプ１５、サーキュレータ１６及び検出部１７を備える。
変調器１２は、入力されたデータを制御部１１から指示された送信周波数で変調して無線信号に変換する。また、変調器１２は、制御部１１の指示にしたがって、指定された送信周波数の無線信号を変調することなく無変調波（ＣＷ：Continuous Wave）信号として出力する。
送信アンプ１４は、変調器１２から出力された無線信号を増幅し、サーキュレータ１６へ出力する。また、送信アンプ１４は、制御部１１の指示にしたがって無線信号の出力を停止する。
サーキュレータ１６は、送信アンプ１４から出力された無線信号を送信信号としてブランチ３へ出力する。また、サーキュレータ１６は、アンテナ４で受信された受信信号を、ブランチ３を介して受け取り、受信アンプ１５へ出力する。
【００２６】
受信アンプ１５は、サーキュレータ１６から受け取った受信信号を増幅し、復調器１３及び検出部１７へそれぞれ出力する。受信アンプ１５は、受信電力に応じて増幅率を調整するＡＧＣ（Auto Gain Control）機能を備えており、制御部１１の指示にしたがって増幅率を所定の値で固定する。
復調器１３は、受信アンプ１５で増幅された受信信号を、制御部１１から指示された受信周波数で復調し、復調後のデータを出力する。
検出部１７は、制御部１１の指示にしたがって、受信アンプ１５で増幅された受信信号の電力を測定し、その測定値を制御部１１へ通知する。検出部１７は、例えば線路の特性インピーダンスと等しい負荷抵抗（例えば、５０オーム）を備え、無線信号を印加したときの該負荷抵抗の温度を熱電対で検出することで該無線信号の電力を測定する構成が考えられる。または、検出部１７は、無線信号をダイオードで検波し、該検波後の信号を印加したときの負荷抵抗の両端電圧を測定することで該無線信号の電力を測定する構成が考えられる。
【００２７】
このような構成において、次に無線装置１によるＩＭ歪みの検出方法について図面を用いて説明する。
図４は、ＩＭ歪みの検出手順の一例を示すフローチャートである。
ＩＭ歪みの検出処理は、無線通信システムの使用者が、端末装置２または無線装置１に対してＩＭ歪みの検出処理の開始を指示入力することで開始される。使用者が端末装置２を用いてＩＭ歪みの検出処理の開始を指示した場合、端末装置２は、無線装置１が備える制御部１１へＩＭ歪みの検出処理の開始を指示する制御信号を出力する。
【００２８】
制御部１１は、ＩＭ歪みの検出処理の開始が指示されると、まず内部で保持している、送受信装置１０1〜１０nで現在使用している送信周波数及び受信周波数の情報から、受信特性を劣化させるＩＭ歪みが発生する可能性があるか否かを判定する（ステップＳ１）。例えば、任意の送受信装置１０の受信特性に影響するＩＭ３の周波数成分を発生する送信周波数の組合せが有るか否かを判定する。
【００２９】
上述したように、例えば２つの送信周波数をｆｔ１及びｆｔ２とした場合、ＩＭ３の周波数成分は２ｆｔ２−ｆｔ１及び２ｆｔ１−ｆｔ２となる。したがって、２ｆｔ２−ｆｔ１または２ｆｔ１−ｆｔ２と近い受信周波数ｆｒｘを用いる送受信装置１０がある場合、該受信周波数ｆｒｘを用いる送受信装置１０の受信特性がＩＭ歪みによって劣化する可能性がある。
そこで、制御部１１は、受信周波数ｆｒｘを用いる送受信装置１０の受信帯域幅の数倍（例えば３倍）以内に、２ｆｔｘ１−ｆｔｘ２または２ｆｔｘ２−ｆｔｘ１が位置するｆｔ１及びｆｔ２を用いる送受信装置１０がある場合、受信特性を劣化させるＩＭ歪みが発生する可能性があると判定する。
【００３０】
なお、本発明の無線通信システムが備える送受信装置１０1〜１０nは、送信周波数及び受信周波数として同一の周波数を用いることを想定していない。そのため、無線装置１が２台の送受信装置１０を備える構成でも、受信周波数ｆｒｘを用いる送受信装置１０の受信特性に影響する、送信周波数ｆｔ１及びｆｔ２を用いる送受信装置１０の組み合わせが存在する場合がある。
受信特性を劣化させるＩＭ歪みが発生する可能性があるか否かの判定方法は、上記の方法に限定されるものではなく、その他の判定方法を用いてもよい。
【００３１】
受信特性を劣化させるＩＭ歪みの発生する可能性が無い場合、制御部１１はその旨を端末装置２または使用者へ通知して（ステップＳ２）処理を終了する。端末装置２または制御部１１は、受信特性を劣化させるＩＭ歪みが発生する可能性が無い旨を、例えば表示装置を用いて表示することで使用者へ知らせればよい。受信特性を劣化させるＩＭ歪みの発生する可能性がある場合、制御部１１は、ステップＳ３の処理へ移行して、実際にＩＭ歪みが発生しているか否かを検出する。
【００３２】
ステップＳ３において、制御部１１は、まずＩＭ歪みの発生要因となる送信周波数を用いる各送受信装置１０の変調器１２に無変調波信号をそれぞれ出力させる。無線通信システムの通常運用時では、無線信号が変調されているため、ＩＭ歪みに起因して発生する周波数成分が連続的に変動する。ＩＭ歪みの発生要因となる送信周波数を無変調波信号に変更すれば、ＩＭ歪みに起因して発生する周波数成分が一定の周波数となるため、ＩＭ歪みの検出が容易になる。
なお、ステップＳ３の処理は、後述する送受信装置１０における受信電力の測定時（ステップＳ６）に、ＩＭ歪みに起因して発生する周波数成分を含む受信電力を検出部１７で測定することが可能であれば、実行しなくてもよい。
【００３３】
次に、制御部１１は、ＩＭ歪みにより受信特性が劣化する可能性のある送受信装置１０の受信アンプ１５の増幅率を所定の値で固定する（ステップＳ４）。上述したように、受信アンプ１５はＡＧＣ機能を備えているため、ＡＧＣ機能によって受信アンプ１５の増幅率が低く設定されると、ＩＭ歪みに起因して発生する周波数成分を検出できない可能性がある。また、後述する送受信装置１０における受信電力の測定時（ステップＳ６）に、ＡＧＣ機能によって増幅率が変動すると、検出部１７で測定した複数の受信電力を比較できなくなる。そのため、受信アンプ１５の増幅率を、ＩＭ歪みに起因して発生する周波数成分が検出部１７で検出できる値（大きな値）で固定することで、該周波数成分の検出を容易にする。
【００３４】
次に、制御部１１は、ＩＭ歪みの発生要因となる送信周波数を用いる送受信装置１０の送信アンプ１４による送信信号の出力及び停止を順次実行する（ステップＳ５）。また、制御部１１は、該送信アンプ１４による送信信号の出力時及び停止時における、ＩＭ歪みによって受信特性が劣化する可能性のある送受信装置１０の受信電力を、それぞれ検出部１７を用いて測定する（ステップＳ６）。そして、送信信号の出力時における受信電力Ｐ１と送信信号の停止時における受信電力Ｐ２とを比較し、Ｐ１がＰ２よりも大きいか否かを判定する（ステップＳ７）。Ｐ１がＰ２よりも大きい場合、制御部１１はＩＭ歪みが発生していると判定し、ＩＭ歪みの検出を端末装置２または使用者へ通知して（ステップＳ８）処理を終了する。端末装置２または制御部１１は、例えば表示装置を用いてＩＭ歪みを検出したことを使用者へ知らせればよい。
【００３５】
一方、Ｐ１がＰ２以下である場合、制御部１１は、ＩＭ歪みが発生していないと判定し、ＩＭ歪みの非検出を端末装置２または使用者へ通知して（ステップＳ９）処理を終了する。端末装置２または制御部１１は、例えば表示装置を用いてＩＭ歪みを検出しなかったことを使用者へ知らせればよい。
なお、ステップＳ７の処理では、測定誤差等を考慮して予め閾値ＴＨを設定し、Ｐ１＞Ｐ２＋ＴＨである場合にＩＭ歪みが発生していると判定してもよい。
【００３６】
上述した図４を用いたＩＭ歪みの検出手順は、ＩＭ歪みが影響する受信周波数が１つの場合の処理例を示している。ＩＭ歪みが影響する受信周波数が複数ある場合は、該受信周波数毎に上記ステップＳ３〜Ｓ９の処理を繰り返せばよい。ＩＭ歪みが影響する受信周波数が複数ある場合、該受信周波数毎に上記ステップＳ３〜Ｓ７の処理を繰り返し、該受信周波数毎のＩＭ歪みの検出結果を上記ステップＳ８及びＳ９でまとめて端末装置２に通知してもよい。
【００３７】
本実施形態によれば、送受信装置１０の受信特性を劣化させるＩＭ歪みの発生要因となる送信周波数がある場合に、該送信周波数の送信信号の出力時及び停止時における、受信特性が劣化する可能性のある送受信装置の受信信号の電力をそれぞれ測定し、送信信号の出力時における受信電力が送信信号の停止時における受信電力よりも大きい場合に、ＩＭ歪みが発生していると判定する。そのため、ＩＭ歪みの発生有無を特殊な部品を用いることなく、汎用の部品を用いて低コストで検出できる。
また、本実施形態によれば、無線装置１やブランチ３等を取り外すことなくＩＭ歪みを検出できるため、無線通信システムの設置後であってもＩＭ歪みの有無を確認できる。
【００３８】
（第２の実施の形態）
次に本発明の第２の実施の形態について図面を用いて説明する。
図５は第２の実施の形態の無線通信システムの一構成例を示すブロック図であり、図６は図５に示した無線装置の一構成例を示すブロック図である。
【００３９】
上述した第１の実施の形態では、無線装置１が備える複数の送受信装置１０1〜１０n毎に検出部１７を備える構成例を示した。
図５に示すように、第２の実施の形態の無線通信システムは、無線装置５が１つの検出部１８を備え、複数の送受信装置２０1〜２０nから出力される受信信号の電力を該１つの検出部１８でそれぞれ測定する構成である。
図６に示すように、第２の実施の形態の送受信装置２０は、変調器１２、復調器１３、送信アンプ１４、受信アンプ１５及びサーキュレータ１６を備え、受信アンプ１５の出力信号が復調器１３及び無線装置５が備える検出部１８にそれぞれ出力される構成である。
【００４０】
検出部１８は、入力された無線信号をフーリエ変換することで複数の周波数成分に分離し、ＩＭ歪みに起因して発生する周波数成分が影響する受信周波数付近の電力を測定する機能を備えていればよい。検出部１８には、例えば周知のスペクトラムアナライザと同様の機能を備えていればよい。その他の構成及びＩＭ歪みの検出手順は第１の実施の形態と同様であるため、その説明は省略する。
【００４１】
第２の実施の形態の無線通信システムにおいても、第１の実施の形態の無線通信システムと同様の効果を得ることができる。
【符号の説明】
【００４２】
１、５    無線装置
２    端末装置
３    ブランチ
４    アンテナ
１０1〜１０n、２０1〜２０n    送受信装置
１１    制御部
１２    変調器
１３    復調器
１４    送信アンプ
１５    受信アンプ
１６、３１    サーキュレータ
１７、１８    検出部
３２    バンドパスフィルタ
【図１】
2017017575.tif 000003
【図３】
2017017575.tif 000004
【図４】
2017017575.tif 000005
【図５】
2017017575.tif 000006
【図６】
2017017575.tif 000007
【図７】
2017017575.tif 000008
【図２】
2017017575.tif 000009